(57)【特許請求の範囲】
【請求項１】
保持ワッシャーによってレチクルリングの内側に保持された１つ又はそれ以上のピースのレチクルガラスと、
前記保持ワッシャーを保持し、かつ前記レチクルリング及び前記レチクルガラスに係合する保持リングと、を含み、
前記保持ワッシャーは、タブを有し、このタブは、前記レチクルリングの内側に設けられた対応する溝に係合して前記レチクルガラスの回転を防止することを特徴とするレチクルセル。
【請求項２】
前記レチクルガラスを前記レチクルリング内に固定するセメントを更に含む、請求項１記載のレチクルセル。
【請求項３】
前記保持リングはアルミニウムで作られている、請求項１記載のレチクルセル。
【請求項４】
２ピースのレチクルガラスを有する、請求項１記載のレチクルセル。
【請求項５】
請求項１記載のレチクルセルを含むエレクターチューブ。
【請求項６】
インナーチューブを更に含み、前記レチクルセルは、前記インナーチューブの対物レンズ端の周りに配置されたコレットリーブの内側に配置される、請求項５記載のエレクターチューブ。
【請求項７】
前記インナーチューブに係合するレチクルコレット締め付けリングを更に含み、前記コレットリーブがレチクルセルに係合して前記レチクルセルをインナーチューブ内に保持する、請求項６記載のエレクターチューブ。
【請求項８】
第１端及び第２端を有するアウターチューブと、
このアウターチューブ内に配置され、対物レンズ端及び接眼レンズ端を有し、前記対物レンズ端の周りに配置された複数のコレットリーブを含み、かつ前記複数のコレットリーブに隣接して外側面に一体に形成された雄ねじを有するインナーチューブと、
前記コレットリーブの内側に配置された請求項１記載のレチクルセルと、
雌ねじ及び、この雌ねじに隣接してテーパ内面を有するレチクルコレット締め付けリングと、を含み、
前記レチクルコレット締め付けリングの雌ねじは、前記インナーチューブの雄ねじと係合し、前記複数のコレットリーブが前記レチクルセルに係合して前記レチクルセルを前記インナーチューブ内に保持する、光学照準器用エレクターチューブ。
【請求項９】
保持ワッシャーは、タブを更に含み、このタブは、前記レチクルリングの内側に設けられた対応する溝に係合する、請求項８記載のエレクターチューブ。
【請求項１０】
前記レチクルガラスを前記レチクルリング内に固定するセメントを更に含む、請求項８記載のエレクターチューブ。
【請求項１１】
前記保持リングはアルミニウムで作られている、請求項５記載のエレクターチューブ。
【発明の詳細な説明】
【技術分野】
【０００１】
本開示は、一般的には、光学照準器に関する。具体的には、本開示は、光学照準器用のレチクルに関する。
【背景技術】
【０００２】
レチクルは、物体体の距離又は大きさを照準するためのかつ測定するための光学照準器に使用される。普通「十字線」と呼ばれる種々のタイプのレチクルは、ライフル銃望遠照準器のような光学照準器に使用することができる。レチクルは、典型的には、ガラスで作られ、そして、ワイヤを含み、又は、照準器で見たとき十字線を生じさせるためエッチングされてもよい。光学照準器は、焦点面に置かれ、かつエレクターチューブによって担持されたレチクルを含む。エレクターチューブは、主チューブ内に拡大レンズとレチクルアセンブリーの両方を収容する。エレクターチューブは、シューターとして移動し、或いはスポッターが偏流及び高度の範囲を調整する。レチクルをエレクターチューブ内にしっかりと正確に位置決めすることは、照準器の精度にとって重要である。
【０００３】
ライフル銃望遠照準器の様な代表的な光学照準器は、レチクルの使用及び組立に関して、労働集約的組立、レチクルの位置を維持し難いこと、使用者の正確さを狂わせ、減少させることがある、使用者の視野のトンネリングを含むいくつかの欠点を有する。
【０００４】
レチクルを正確に、しっかりと、首尾一貫して取り付ける低コストのエレクターチューブの組立の要求がある。加えて、見かけ視野を減じ、トンネリング効果を増大させ、そして非対称視野を引き起こすビューリングの必要を除去する、完全に中心にあるレチクルを提供する光学照準器の要求がある。
【０００５】
ここに開示した１つ又はそれ以上の側面は、ある目標を充たすことができ、１つ又はそれ以上の他の側面は、ある他の目標につなげることができることは、当業者によって理解されよう。開示の他の目的、特徴、利益及び利点は当業者に容易に明らかであろう。このような目的、特徴、利益及び利点は、添付図面及び添付図面から引き出されるべきあらゆる合理的な影響に関連して取られるように上記の説明から明らかであろう。
【発明の概要】
【０００６】
１つの実施形態では、開示は、レチクルに関する。他の実施形態では、開示は、レチクルを含むエレクターチューブに関する。更に他の実施形態では、開示は、レチクルセルを含むエレクターチューブに関する。
【０００７】
更に他の実施形態では、開示は、光学照準器用レチクルに関する。他の実施形態では，開示は、光学照準器用レチクルセルに関する。更に他の実施形態では、開示は、光学照準器用レチクルセルを含むエレクターチューブに関する。１つの実施形態では、光学照準器は、光学レンズ照準器，照準望遠鏡，望遠鏡，光学レンズ照準器，スポッティングスコープ，ライフル銃望遠照準器，拳銃望遠照準器，距離測定器，双眼鏡，単眼鏡，及び三脚台を含むがこれらに限定されない。他の実施形態では、光学照準器は、ライフル銃及び拳銃を含むが、これらに限らない火器用のものである。
【０００８】
１つの実施形態では、開示は、保持ワッシャーによってレチクルリングの内側に保持された１つ又はそれ以上のピースのレチクルガラス及び保持ワッシャーを保持しかつレチクルリング及びレチクルガラスに係合する保持リングを含むレチクルセルに関する。他の実施形態では、保持ワッシャーは、タブを含み、該タブは、レチクルリングの内側に設けられた対応する溝に係合してレチクルガラスの回転を防止する。
【０００９】
他の実施形態では、開示は、レチクルセルを含むエレクターチューブに関し、レチクルセルは、保持ワッシャーによってレチクルリングの内側に保持された１つ又はそれ以上のピースのレチクルガラス及び保持ワッシャーを保持しかつレチクルリング及びレチクルガラスに係合する保持リングを有する。
【００１０】
なお他の実施形態では、開示は、インナーチューブを含むエレクターチューブに関し、レチクルセルは、前記インナーチューブの対物レンズの周りに配置されたコレットリーブの内側に配置される。
【００１１】
更に他の実施形態では、開示は、インナーチューブに係合するレチクルコレットロックリングを更に含み、そのため、コレットリーブは、レチクルセルに係合してレチクルセルをインナーチューブ内に保持する、エレクターチューブに関する。
【００１２】
なお他の実施形態では、開示は、第１端及び第２端を有するアウターチューブ、アウターチューブ内に配置され、対物レンズ端及び接眼レンズ端を有し、対物レンズ端の周りに配置された複数のコレットリーブを含み、かつ複数のコレットリーブに隣接して外側面に一体に形成された雄ねじを有するインナーチューブ、保持ワッシャー及び保持リングによってレチクルリングの内側に保持された少なくとも１つのレチクルガラスを有し、コレットリーブの内側に配置されたレチクルセル、雌ねじを有し、雌ねじに隣接してテーパ内面を有するレチクルコレット締め付けリングを含み、レチクルセルは、コレットリーブの内側に配置され、コレットリングの雌ねじは、インナーチューブの雄ねじと係合し、そのため、複数のコレットリーブがレチクルセルに係合してレチクルセルをインナーチューブ内に保持する、光学照準器用エレクターチューブに関する。
【００１３】
１つの実施形態では、エレクターチューブは、レチクルリングに結合された１つ又はそれ以上のピースのレチクルガラスを有するレチクルセルを有する。
【００１４】
更に他の実施形態では、エレクターチューブは、レチクルコレットリングを有し、該レチクルコレットリングは、インナーチューブの側面に係合し、そのため、レチクルセルは、インナーチューブ内に保持される。
【００１５】
なお他の実施形態では、開示は、第１端及び第２端を有するアウターチューブ、アウターチューブ内に配置され、対物レンズ端及び接眼レンズ端を有し、対物レンズ端の周りに配置された固定具を含み、かつ固定具に隣接して外側面に設けられた係合面を有するインナーチューブ、レチクルリングに結合された少なくとも１つのレチクルガラスを有するレチクルセル、インナーチューブの係合面と相互作用することのできるレチクルコレット締め付けリングを含み、レチクルセルは、対物レンズの周りに配置された固定具の内側に配置され、レチクルコレットリングは、インナーチューブの係合面と係合し、そのため、固定具はレチクルセルに係合してれてセルをインナーチューブ内に保持する、光学照準器用エレクターチューブに関する。
【図面の簡単な説明】
【００１６】
【図１】代表的な光学照準器の側面図である。
【図２】図１の線２−２に沿って取られた図１の光学照準器の断面図である。
【図３】光学照準器の代表的なエレクターチューブの写真である。
【図４】エレクターチューブの一端に取り付けられたナットを示す図３のエレクターチューブの写真である。
【図５】エレクターチューブの一端に取り付けられたナットを示す図３のエレクターチューブの詳細な写真である。
【図６】エレクターチューブに取り付けられるレチクルセル及び締め付けナットを示す図３のエレクターチューブの写真である。
【図７】レチクルセルに取り付けられた締め付けナットを示す図３のエレクターチューブの写真である。
【図８】レチクルセルをエレクターチューブに取り付けた図３のエレクターチューブの写真である。
【図９】ここに開示された方法及び装置による光学照準器のエレクターチューブの斜視図である。
【図１０】図９の線１０−１０に沿って取った図巣９のエレクターチューブの断面図である。
【図１１】図９のエレクターチューブの分解斜視図である。
【図１２】図９のエレクターチューブの他の分解斜視図である。
【図１３】図９のエレクターチューブのレチクル取付端の部分分解詳細図である。
【００１７】
［発明の詳細な説明］
以下の説明の目的のために、用語「上」，「下」，「垂直」，「水平」，「軸線」，「頂き」，「底」，「後部」，「後」，及びその派生」は、開示に関するべきである。それは、図面の図において向きが定められるからである。しかしながら、ここに開示された方法及び装置は、反対に表現的に特定される場合をのぞいて種々の代替形態を受け入れてもよいことを理解すべきである。図に示しかつ以下の明細書において記載された特定の要素は、また、発明の単に例示的な実施形態であることを理解すべきである。したがって、ここに開示された実施形態に関わる特定寸法形状，向き及び他の物体理的特徴は限定と考えるべきではない。
【００１８】
ここに使用されるように、コレットは、保持すべき物体の周りにカラーを形成し、かつ通常、テーパ外カラーの使用によって締められるとき、強い力、例えば、締め付け力を物体に及ぼす保持器である。
【００１９】
外部コレットは、円筒内面及び円錐外面を有するスリーブである。コレットを、内面が僅かに小さい直径に収縮するように相手テーパに対して圧迫することができ、確実な保持が望まれる物体を圧迫する。最も多くの場合、これは、ばね鋼で作られ、膨張収縮区を可能にする、長さに沿う１つ又はそれ以上の切り切り溝カットを有するスプリングコレットで達成される。
【００２０】
代替的なコレット設計は、可撓性バインディング媒体（典型的には、合成ゴム又は天然ゴム）によって（スター点のような、実際にはジョーチャックのジョーのような）円形位置に保持された数個のスチールブロック（本質的にテーパゲージブロック）を有するものである。
【００２１】
内部コレットは、２つの抜き差しチューブを互いにロックするのに使用される。この場合、コレットは、中心線に穴あけされかつねじ切りされた切頭円錐の形態である。コレットの直径は、インナーチューブの穴と合致し、穴より僅かに大きい端を有し、小さい方の直径は、穴よりも僅かに小さい。他端がチューブに固定されたねじスタッドは、コレットをチューブの中へ引き込むのに使用される。コレットの増大する直径部は、インナーチューブを押して拡張させ、そしてアウターチューブの内壁に押しつけられ、かくして、２つのチューブを互いに固定する。インナーチューブは、しばしば、この拡張をよういにするために溝切りされる。
【００２２】
ここに使用されるように、２つ又はそれ以上の部品は、互いに「結合」される文言は、部品が直接に互いに接合され、或いは１つ又はそれ以上の中間部品を介して間接的に接合されることを意味する。
【００２３】
ここに使用されるように、用語「係合面」は、物体が互いに相互作用することができる機構を指す。１つの実施形態では、係合面は、第２の物体を受け入れ又は第２の物体と相互作用するように製造された第１の物体に設けられたねじであるのがよい。他の実施形態では、係合面は留め具である。
【００２４】
ここに使用されるように、用語「留め具」は、ダボピン，ファスナー，リベット，などのような適当な留め機構、連結機構又は締め付け機構を指す。
【００２５】
ここに使用されるように、エレクターチューブは、メインチューブ内にレチクルアセンブリーを収容する装置である。エレクターチューブは、また拡大レンズを収容してもよい。１つの実施形態では、エレクターチューブは、アウターチューブとインナーチューブを含む。
【００２６】
ここに使用されるように、第１焦点面レンズは、エレクターの前の方に又はスコープの拡大範囲を制御するのを助けるレンズの前方に装着されたレチクルを有する。そのスコープは、その拡大範囲を実現するから、レチクルは、サイズを変えるように現れ、拡大に応じて細くなったり太くなったりする。しかしながら、レチクルは、実際にはサイズを変えていないが、事実、スコープの目標像に対してサイズを維持しており、低緊張は同じままであることを意味する。低緊張が拡大範囲の予測全体にわたって同じままであると、軌道補正及びゼロイングを任意の倍率で行なうことができ、スコープの実用性を大きく増す。
【００２７】
ここに使用されるように、レチクルは、光学機器の接眼レンズの焦点面の細い線、ドット、十字ヘア又はワイヤのネットワークである。平面レチクルは、視野の中心で相互作用する２本の線を有する。
【００２８】
二重レチクルは、視野の中心に近い細い線までテーパする太い線を有する。二重レチクルでは、レチクル線は、縁で太く、像の中心で細くなるようにテーパする。太い部分は、背景を暗くして見やすく、細い線は、より正確な目標点を提供する。
【００２９】
ミルドットレチクルは、小さいドットが互いに正確な距離に置かれる、軍用である。ドットは、射手がスコープを覗きながらダウンレンジの角度を測定することできるようにする。角度の測定のミル単位が用いられる、何故ならば、ミルは、角度よりも小さいからである。完全な円には６，４００ミルがある。
【００３０】
ここれ使用されるように、第２の焦点面レンズでは、レチクルは、像の拡大を制御するのを助けるレンズを通り越して、エレクターの後に向かって装着される。この場合には、スコープのレチクルは、拡大範囲全体にわたって射手に対して同じサイズのままであるように現れる。レチクルは、目標に対してサイズを変えないから、レチクルの低緊張は、典型的には、最も高い倍率で、拡大範囲に沿う１つのスポットで、範囲予測及び軌道補正にのみよい。
【００３１】
ここに使用されるように、タブは、物体に取り付けられ又は物体から突出する材料のフラップ又はストリップ若しくはピースを指す。１つの実施形態では、タブは、該タブが突出する又は取り付けられる物体のサイズに対して小さい。１つの実施形態では、タブは、同じ物体からの他の部品又は材料ピース、すなわち第２の物体と相互作用することができる。
【００３２】
図１−２に示すライフル銃照準器１００のような代表的な光学照準器は、少なくともウインデージターレット１０４，エレベーションダーレット１０６及び  パララックス調節ノブ（図示せず）を含むメインチューブ１０２を有する。他の調節ノブ及び又は取付ブラケットがメインチューブに含められてもよい。図２に示すように、エレクターチューブ１０がメインチューブ１００内に同心的に取り付けられ、そしてウインデージターレット及びエレベーションダーレット、並びにパララックス調節ノブに係合する溝を含む。前記ターゲット１０４，１０６又はノブのどれかを回すとエレクターチューブ１０を移動させ、それにより、使用者は照準時に存在する種々の環境ファクターを補償し、ライフル銃照準器の場合には、使用者は、弾丸落下の計算もする。
【００３３】
図３−８は、代表的なレチクルセル５０がどのようにして代表的エレクターチューブ５４の第１焦点面５２に取り付けられるかを示す。エレクターチューブ５４は、第１焦点面５２にねじ部５６を有する。ナット５６は、ねじ部５６に部分的にねじ込まれる（少なくとも図４参照）。組立工がエレクターチューブ５４に関してナット５６の位置を設定し、少なくとも１つの止めねじ５８を締めてナットを固定する（少なくとも図５参照）。ナット５６を取り付けた後、レチクルセル５０をナットに取り付け、そのためナットは、レチクルセルとエレクターチューブ５４との間でブリッジとして作用する（少なくとも図６参照）。レチクルセル５０には、フランジ５９があり、該フランジは、ナット５６の面に合致してレチクルセルがナットにどこまでもねじ込まれるのを防止する。最後に、締め付けナット６０をレチクルセル５０上に取り付け、締め付けナットがフランジ５９に係合し、ナット５６にねじ込まれレチクルセルをナットに固着する（少なくとも図７及び８参照）。種々のねじ取り付けによりアセンブラーは焦点とカントの両方のためレチクルセル５０の位置を調節する。ナットを回転させてレチクルを焦点合せに位置決めすることができる。合焦後、ナットを止めねじで固定する。
【００３４】
しかしながら、このタイプの組み立ては、大変労働集約的である、何故ならば、エレクターチューブ５４に関してレチクルセルの焦点及びカントをダイヤル合せするために手で多くの調節を必要とする。最後に、初期調節がなされた後でも、締め付けナット６０を締める間、時々、レチクルセル５０及びナット５６，５８の位置を維持するのが難しい。
【００３５】
加えて、代表的なレチクルは、視野にトンネリングをもたらす「ビューリング」を使用するエレクターチューブに整合される。多くの場合、照準器を調節すると、ビューリングは、トンネリングを非対称にし、これは、使用者をなやますことがあり、ある場合には、使用者に照準器を不正確に使用させるかもしれない。
【００３６】
図９−１３は、ここに開示される方法及び装置にしたがってエレクターチューブ１０の１つの実施形態を示す。エレクターチューブ１０は、インナーチューブ１２，アウターチューブ１４，円筒形状を有するレチクルコレット締め付けリング１６を含む（少なくとも図１０，１１，１３を参照）。レチクルコレット締め付けリングは、テーパ内面１５及び雌ねじ１７を含む（少なくとも図１０，１１，１３を参照）。エレクターチューブは、対物レンズ端１８及び接眼レンズ端２０を有する（少なくとも図１０を参照）。１つの実施形態では、レチクルセル２２は、対物レンズ端１８で及び焦点面２４で固定される。
【００３７】
レチクルセル２２は、レチクルリング２６及びレチクルガラス２８を含む（少なくとも図１２を参照）。１つの実施形態では、２ピースのレチクルガラス２８があるが、１，２，３，４，５及び５以上を含む多少のピースのガラスを使用してもよく、しかし其れに限定されない。
【００３８】
他の実施形態では、レチクルガラス２８の代わりに液晶表示装置又は勇気液体放出表示装置、若しくは他の適当なレチクル表示装置を使用してもよい。
【００３９】
レチクルガラス２８は、保持ワッシャー３０によってレチクルリング２６の内側に保持される。保持ワッシャー３０は、レチクルリング２６に設けられた雌ねじ３３に係合するガラス保持リング３２とレチクルガラス２８との間に捕捉される（少なくとも図１２を参照）。
【００４０】
１つの実施形態では、ガラス保持リング３２は、アルミニウムで作られるが、銅，錫，プラスチック，アルミニウム合金、スチール，ポリウレタン合成物体，及びスーパープラスチック材料を含む他の適当な材料を使用してもよいがそれらに限定されない。他の実施形態では、レチクルガラス２８をレチクルリングに更に固定するためにセメントを使用してもよい。
【００４１】
１つの実施形態では、保持ワッシャー３０は、タブ３１を更に含み、タブはレチクルリング２６の内側に設けられた対応する溝に係合して、ガラス保持リング３２が締められるときレチクルガラス２８の回転を防止する（少なくとも図１２を参照）。レチクルガラス２８がレチクルリング２６に正しく整列されたら、ガラス保持リング３２を締めてレチクルガラス２８をレチクルリングに固定し完全に組み立てたレチクルセル２２を形成する。
【００４２】
図１１に示すように、対物レンズ端１８には、複数のコレットリーブ３４が形成されている。レチクルセルストップフランジ３６が複数のコレットリーブ３４の基部でインナーチューブ１２の内側に配置される。複数のコレットリーブの基部でインナーチューブ１２の外側面には、雄ねじ３８が形成されている。コレットリーブ３４は、ほぼ長方形の輪郭を有するが、正方形の輪郭，三角形の輪郭，六角形の輪郭及び円形の輪郭を含む適当な形状を使用してもよいが、これらに限定されない。
【００４３】
レチクルセル２２をエレクターチューブ１０に固定するために、レチクルセルを対物レンズ端１８の中へ挿入してレチクルセルストップフランジ３６の前に位置させ、レチクルセルストップフランジは、レチクルセル２２がインナーチューブ１２の中へはるか遠くに挿入されるのを防止する。レチクルセル２２の正確な位置は、ライフル銃照準器を覗いたときレチクルガラスが、焦点が完全にあっているように調節される。レチクルセル２２が対物レンズ端１８の中へ挿入されたら、レチクルセルの正面にあるキー溝２３に係合する工具をしようしてレチクルセルを回してエレクターチューブ１０と回転整合させる。次いで、レチクルコレット締め付けリング１６を複数のコレットリーブ３４の上に挿入し、その亀、雌ねじ１７が雄ねじ３８に係合する。レチクルコレット締めつけリング１６がインナーチューブ１２に締めくけられると、テーパ内面１５は複数のコレットリーブ３４に徐々に係合し、コレットリーブをインナーチューブ１２の中心に向かって偏向させ、コレットリーブは、レチクルセル２２の外側面に係合し、それによって、レチクルセルを適所に固定する。コレットリーブ３４及びコレット締め付けリング１６を使用することにより、顧客設定及び現在の方法よりももっと急速にレチクルセル２２の保持を可能にする。
【００４４】
１つの実施形態では、レチクルコレット締め付けリング１６を締めるのにスパナーレンチを使用してもよい。勿論、ここに開示された方法及び装置から逸脱することなく、レチクルコレット締め付けリング１６を締めるのに他の適当な工具を使用してもよい。
【００４５】
一連の調節及び再調節でレチクルセル２２の位置をダイヤルインすることを要する既存の設計と違って、ここに記載の方法及び装置は、レチクルセル２２が所望位置にあれば、レチクルセル２２を固定するのにコレット締め付けリング１６だけを使用して、軸線調節，回転調節，及び他の調節を同時にすることができる。コレットリーブ３４及びコレット締め付けリング１６は、少ない部品を使用し、伝統的な取り付け機構よりも場所を取らず、これは、視野情報及びエレベーション／ウインデージ情報を示すおおくの余地を可能にする。
【００４６】
加えて、レチクルセル２２を固定するのにコレットリーブ３４及びコレット締め付けリング１６を使用することにより、ライフル銃の反動中調節を失うのを回避する、現在使用の方法よりももっと確実な連結をもたらす。何がもっとも実践的かつ好ましい実施形態であると認められるかという点で発明をここに記載したけれども、発明は、上記の特定実施形態に限られるものではないことを理解すべきである。むしろ、発明の精神又は意図から逸脱することなく発明の技術に熟達したものによって変形をしてもよいことは認識される。したがって、発明は、添付の特許請求の範囲及び発明の説明の主題に合理的な均等を含むものととらえるべきである。
【図１】
0006728224.tif 000002
【図２】
0006728224.tif 000003
【図３】
0006728224.tif 000004
【図４】
0006728224.tif 000005
【図５】
0006728224.tif 000006
【図６】
0006728224.tif 000007
【図７】
0006728224.tif 000008
【図８】
0006728224.tif 000009
【図９】
0006728224.tif 000010
【図１０】
0006728224.tif 000011
【図１１】
0006728224.tif 000012
【図１２】
0006728224.tif 000013
【図１３】
0006728224.tif 000014